(57)【要約】【課題】本発明は自動的に乾燥できるテーブルクロスを開示した。【解決手段】テーブルを含み、前記テーブルの上端面の表面にはテーブルクロスが設置され、前記テーブルクロスの中には断熱層が設置され、前記テーブルクロスの中にはセンサーが設置され、前記テーブルクロスの中には前記テーブルクロスの上下端面を貫通している貫通孔が設置され、前記断熱層の中には断熱孔が設置され、前記断熱孔の中には断熱ブロックが設置され、前記テーブルの下端面の四隅には四本のテーブルの脚が設置され、前記テーブルの脚の中には制御スイッチが設置され、前記テーブルの中には従動機構が設置され、前記従動機構は貯蔵チャンバを含み、本発明は作動する時、当該装置は火鍋を食べる時に生じた大量の熱量を効果的に利用し、テーブルクロスの加熱を完成し、これによりテーブルクロスは終始適宜な温度を保ち、これにより顧客を快適に感じさせる。【選択図】図１
2020176818.tif 000002
【特許請求の範囲】
【請求項１】
正面視で、テーブルを含み、前記テーブルの上端面の表面にはテーブルクロスが設置され、前記テーブルクロスの中には断熱層が設置され、前記テーブルクロスの中にはセンサーが設置され、前記テーブルクロスの中には前記テーブルクロスの上下端面を貫通している貫通孔が設置され、前記断熱層の中には断熱孔が設置され、前記断熱孔の中には断熱ブロックが設置され、前記テーブルの下端面の四隅には四本のテーブルの脚が設置され、前記テーブルの脚の中には制御スイッチが設置され、前記テーブルの中には従動機構が設置され、前記従動機構は貯蔵チャンバを含み、前記貯蔵チャンバの下端壁には前記貯蔵チャンバに連通しているばねチャンバが設置され、前記ばねチャンバの両側端壁の中には磁気シールドブロックが設置され、前記ばねチャンバの中にはばね板が設置され、前記ばね板の両端にはいずれも磁石が設置され、前記貯蔵チャンバの両側端壁の中には前記貯蔵チャンバに連通している加熱チャンバが対称的に設置され、前記加熱チャンバの上端壁の中には移動機構が設置され、前記加熱チャンバの下端壁の中には気体放出機構が設置され、前記気体放出機構は昇降チャンバを含み、前記加熱チャンバの下端壁の中には前記加熱チャンバに連通している前記昇降チャンバが設置され、前記昇降チャンバの中には一つの昇降板がスライドできるように連結され、前記昇降板の下端面には下端が前記昇降チャンバの端壁と連結されている昇降ばねが固定されていることを特徴とする自動的に乾燥できるテーブルクロス。
【請求項２】
前記従動機構はまた埃隔絶板を含み、前記ばね板の下端面には下端が前記ばねチャンバの端壁と連結されている二つの復帰ばねが設置され、前記ばね板の上端面には上端が前記ばねチャンバの中に位置しており、且つ前記埃隔絶板と連結されている支持ロッドが固定的に連結されていることを特徴とする請求項１に記載の自動的に乾燥できるテーブルクロス。
【請求項３】
前記移動機構は移動チャンバを含み、前記移動チャンバの中には二つの移動板がスライドできるように連結され、二つの前記移動板の間にはリミット板が前後対称的に設置され、前記移動チャンバの中にはまた移動ブロックがスライドできるように連結され、前記移動チャンバの片側端壁には前記移動板に連結されている移動ばねが固定的に設置され、前記移動チャンバのうち前記貯蔵チャンバから離れている端壁の中には圧縮チャンバが設置され、前記圧縮チャンバの中には圧縮板が設置され、前記圧縮板の片側端面には前記移動ブロックと連結されている弾性縄が固定的に連結され、前記圧縮チャンバの片側端壁には前記圧縮板と連結されている圧縮ばねが固定的に連結されていることを特徴とする請求項１に記載の自動的に乾燥できるテーブルクロス。
【請求項４】
前記気体放出機構はまた二つの気体放出パイプを含み、前記昇降チャンバの下端壁の中には前記気体放出パイプに連通している水平移動チャンバが設置され、前記水平移動チャンバの中には固定ブロックが固定され、前記固定ブロックの中には前記水平移動チャンバに連通している電磁溝が設置され、前記電磁溝の片側端壁には一つの電磁石が固定的に連結され、前記電磁溝の中にはまた一端が前記水平移動チャンバの中に位置している水平移動ロッドがスライドできるように連結され、前記水平移動チャンバの中には一端が前記水平移動ロッドと連結されている水平移動ブロックが設置され、前記水平移動ブロックの上端面には密封ブロックが設置され、前記水平移動ブロックの中には二つの流通孔が設置され、前記水平移動チャンバの下端壁には外部空間に連通している二つの流通パイプが設置され、
その中、前記昇降チャンバの片側端壁の中にはばね溝が設置され、前記ばね溝の中には一つの磁板がスライドできるように連結され、前記磁板の上端面には上端が前記加熱チャンバの中に位置している断熱板が固定的に連結され、前記断熱板の上端には固定板が固定的に連結され、前記固定板の上端面には上端が前記移動チャンバの中に位置している熱伝導板が固定的に連結され、前記熱伝導板の上端が前記リミット板と摩擦により連結され、前記磁板の下端面には前記ばね溝の端壁と連結されている伸縮ばねが設置され、前記磁板の下端面にはまた前記水平移動ブロックと連結されているロープが固定的に連結され、前記圧縮板の下端が前記水平移動チャンバの中に位置しており、且つ前記固定ブロックとスライドできるように連結されていることを特徴とする請求項１に記載の自動的に乾燥できるテーブルクロス。
【発明の詳細な説明】
【技術分野】
【０００１】
本発明はレストラン用品分野を取り上げて、具体的には自動的に乾燥できるテーブルクロスである。
【背景技術】
【０００２】
テーブルクロスはレストランを装飾でき、食事後のゴミを片付けることに便利を与える物であり、既にレストランの不可欠な一部であり、現在のほとんどのテーブルクロスは単にテーブルクロスとし、テーブルクロスを清掃した後、一般的には再び拭く又は自然に乾燥することを待つ必要があり、次の顧客の使用に影響し、且つ火鍋などを使用するテーブルとテーブルクロスの中、火鍋を使用する時に大量の熱を生じ、それを収集して利用しないと、資源の浪費をもたらす。
【先行技術文献】
【特許文献】
【０００３】
【特許文献１】中国特許出願公開第１０６４１９３７６号明細書
【発明の概要】
【発明が解決しようとする課題】
【０００４】
本発明は自動的に乾燥できるテーブルクロスを提供し、上記背景技術において提出された問題を解決することを目的とする。
【課題を解決するための手段】
【０００５】
上記の目的を実現するために、本発明は以下の技術プランを提供する：自動的に乾燥できるテーブルクロスは、テーブルを含み、前記テーブルの上端面の表面にはテーブルクロスが設置され、前記テーブルクロスの中には断熱層が設置され、前記テーブルクロスの中にはセンサーが設置され、前記テーブルクロスの中には前記テーブルクロスの上下端面を貫通している貫通孔が設置され、前記断熱層の中には断熱孔が設置され、前記断熱孔の中には断熱ブロックが設置され、前記テーブルの下端面の四隅には四本のテーブルの脚が設置され、前記テーブルの脚の中には制御スイッチが設置され、前記テーブルの中には従動機構が設置され、前記従動機構は貯蔵チャンバを含み、前記貯蔵チャンバの下端壁には前記貯蔵チャンバに連通しているばねチャンバが設置され、前記ばねチャンバの両側端壁の中には磁気シールドブロックが設置され、前記ばねチャンバの中にはばね板が設置され、前記ばね板の両端にはいずれも磁石が設置され、前記貯蔵チャンバの両側端壁の中には前記貯蔵チャンバに連通している加熱チャンバが対称的に設置され、前記加熱チャンバの上端壁の中には移動機構が設置され、前記加熱チャンバの下端壁の中には気体放出機構が設置され、前記気体放出機構は昇降チャンバを含み、前記加熱チャンバの下端壁の中には前記加熱チャンバに連通している前記昇降チャンバが設置され、前記昇降チャンバの中には一つの昇降板がスライドできるように連結され、前記昇降板の下端面には下端が前記昇降チャンバの端壁と連結されている昇降ばねが固定されている。
【０００６】
好ましくは、前記従動機構はまた埃隔絶板を含み、前記ばね板の下端面には下端が前記ばねチャンバの端壁と連結されている二つの復帰ばねが設置され、前記ばね板の上端面には上端が前記ばねチャンバの中に位置しており、且つ前記埃隔絶板と連結されている支持ロッドが固定的に連結されている。
【０００７】
好ましくは、前記移動機構は移動チャンバを含み、前記移動チャンバの中には二つの移動板がスライドできるように連結され、二つの前記移動板の間にはリミット板が前後対称的に設置され、前記移動チャンバの中にはまた移動ブロックがスライドできるように連結され、前記移動チャンバの片側端壁には前記移動板に連結されている移動ばねが固定的に設置され、前記移動チャンバのうち前記貯蔵チャンバから離れている端壁の中には圧縮チャンバが設置され、前記圧縮チャンバの中には圧縮板が設置され、前記圧縮板の片側端面には前記移動ブロックと連結されている弾性縄が固定的に連結され、前記圧縮チャンバの片側端壁には前記圧縮板と連結されている圧縮ばねが固定的に連結されている。
【０００８】
好ましくは、前記気体放出機構はまた二つの気体放出パイプを含み、前記昇降チャンバの下端壁の中には前記気体放出パイプに連通している水平移動チャンバが設置され、前記水平移動チャンバの中には固定ブロックが固定され、前記固定ブロックの中には前記水平移動チャンバに連通している電磁溝が設置され、前記電磁溝の片側端壁には一つの電磁石が固定的に連結され、前記電磁溝の中にはまた一端が前記水平移動チャンバの中に位置している水平移動ロッドがスライドできるように連結され、前記水平移動チャンバの中には一端が前記水平移動ロッドと連結されている水平移動ブロックが設置され、前記水平移動ブロックの上端面には密封ブロックが設置され、前記水平移動ブロックの中には二つの流通孔が設置され、前記水平移動チャンバの下端壁には外部空間に連通している二つの流通パイプが設置されている。
【０００９】
その中、前記昇降チャンバの片側端壁の中にはばね溝が設置され、前記ばね溝の中には一つの磁板がスライドできるように連結され、前記磁板の上端面には上端が前記加熱チャンバの中に位置している断熱板が固定的に連結され、前記断熱板の上端には固定板が固定的に連結され、前記固定板の上端面には上端が前記移動チャンバの中に位置している熱伝導板が固定的に連結され、前記熱伝導板の上端が前記リミット板と摩擦により連結され、前記磁板の下端面には前記ばね溝の端壁と連結されている伸縮ばねが設置され、前記磁板の下端面にはまた前記水平移動ブロックと連結されているロープが固定的に連結され、前記圧縮板の下端が前記水平移動チャンバの中に位置しており、且つ前記固定ブロックとスライドできるように連結されている。
【発明の効果】
【００１０】
以上により、本発明の有益効果は：本装置は構成が簡単で、操作が便利で、当該装置は火鍋を食べる時に生じた大量の熱量を効果的に利用し、テーブルクロスの加熱を完成し、これによりテーブルクロスは終始適宜な温度を保ち、これにより顧客を快適に感じさせ、余熱によりテーブルクロスが清掃された後に残された水の乾燥を完成し、再びテーブルクロスを拭く必要はなく、これにより労働力を節約し、しかももっと速くこのテーブルを使用でき、これにより接客の速度を早める。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の自動的に乾燥できるテーブルクロスの全体断面の正面構成模式図
【図２】図２は本発明の自動的に乾燥できるテーブルクロスの気体放出機構の部分断面の正面構成模式図
【図３】図３は本発明の自動的に乾燥できるテーブルクロスの従動機構の部分断面の正面構成模式図
【図４】図４は本発明の自動的に乾燥できるテーブルクロスの全体上面拡大模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜４を参照し、本発明が提供する実施例は：自動的に乾燥できるテーブルクロスは、テーブル１を含み、前記テーブル１の上端面の表面にはテーブルクロス４８が設置され、前記テーブルクロス４８の中には断熱層４０が設置され、前記テーブルクロス４８の中にはセンサー４７が設置され、前記テーブルクロス４８の中には前記テーブルクロス４８の上下端面を貫通している貫通孔３８が設置され、前記断熱層４０の中には断熱孔４５が設置され、前記断熱孔４５の中には断熱ブロック４３が設置され、前記テーブル１の下端面の四隅には四本のテーブルの脚１３が設置され、前記テーブルの脚１３の中には制御スイッチ１２が設置され、前記テーブル１の中には従動機構３６が設置され、前記従動機構３６は貯蔵チャンバ３７を含み、前記貯蔵チャンバ３７の下端壁には前記貯蔵チャンバ３７に連通しているばねチャンバ２４が設置され、前記ばねチャンバ２４の両側端壁の中には磁気シールドブロック３１が設置され、前記ばねチャンバ２４の中にはばね板３４が設置され、前記ばね板３４の両端にはいずれも磁石３３が設置され、前記貯蔵チャンバ３７の両側端壁の中には前記貯蔵チャンバ３７に連通している加熱チャンバ７が対称的に設置され、前記加熱チャンバ７の上端壁の中には移動機構３０が設置され、前記加熱チャンバ７の下端壁の中には気体放出機構２５が設置され、前記気体放出機構２５は昇降チャンバ２８を含み、前記加熱チャンバ７の下端壁の中には前記加熱チャンバ７に連通している前記昇降チャンバ２８が設置され、前記昇降チャンバ２８の中には一つの昇降板２９がスライドできるように連結され、前記昇降板２９の下端面には下端が前記昇降チャンバ２８の端壁と連結されている昇降ばね２９が固定されている。
【００１５】
有益的には、前記従動機構３６はまた埃隔絶板３９を含み、前記ばね板３４の下端面には下端が前記ばねチャンバ２４の端壁と連結されている二つの復帰ばね２３が設置され、前記ばね板３４の上端面には上端が前記ばねチャンバ２４の中に位置しており、且つ前記埃隔絶板３９と連結されている支持ロッド３５が固定的に連結されている。
【００１６】
有益的には、前記移動機構３０は移動チャンバ４２を含み、前記移動チャンバ４２の中には二つの移動板４６がスライドできるように連結され、二つの前記移動板４６の間にはリミット板４４が前後対称的に設置され、前記移動チャンバ４２の中にはまた移動ブロック４９がスライドできるように連結され、前記移動チャンバ４２の片側端壁には前記移動板４６に連結されている移動ばね４１が固定的に設置され、前記移動チャンバ４２のうち前記貯蔵チャンバ３７から離れている端壁の中には圧縮チャンバ２が設置され、前記圧縮チャンバ２の中には圧縮板３が設置され、前記圧縮板３の片側端面には前記移動ブロック４６と連結されている弾性縄５０が固定的に連結され、前記圧縮チャンバ２の片側端壁には前記圧縮板３と連結されている圧縮ばね５が固定的に連結されている。
【００１７】
有益的には、前記気体放出機構２５はまた二つの気体放出パイプ２６を含み、前記昇降チャンバ２８の下端壁の中には前記気体放出パイプ２６に連通している水平移動チャンバ８が設置され、前記水平移動チャンバ８の中には固定ブロック９が固定され、前記固定ブロック９の中には前記水平移動チャンバ８に連通している電磁溝１１が設置され、前記電磁溝１１の片側端壁には一つの電磁石１０が固定的に連結され、前記電磁溝１１の中にはまた一端が前記水平移動チャンバ８の中に位置している水平移動ロッド１４がスライドできるように連結され、前記水平移動チャンバ８の中には一端が前記水平移動ロッド１４と連結されている水平移動ブロック１５が設置され、前記水平移動ブロック１５の上端面には密封ブロック１８が設置され、前記水平移動ブロック１５の中には二つの流通孔１７が設置され、前記水平移動チャンバ８の下端壁には外部空間に連通している二つの流通パイプ１６が設置されている。
【００１８】
その中、前記昇降チャンバ２８の片側端壁の中にはばね溝２１が設置され、前記ばね溝２１の中には一つの磁板２２がスライドできるように連結され、前記磁板２２の上端面には上端が前記加熱チャンバ７の中に位置している断熱板３２が固定的に連結され、前記断熱板３２の上端には固定板６が固定的に連結され、前記固定板６の上端面には上端が前記移動チャンバ４２の中に位置している熱伝導板４が固定的に連結され、前記熱伝導板４の上端が前記リミット板４４と摩擦により連結され、前記磁板２２の下端面には前記ばね溝２１の端壁と連結されている伸縮ばね２０が設置され、前記磁板２２の下端面にはまた前記水平移動ブロック１５と連結されているロープ１９が固定的に連結され、前記圧縮板３の下端が前記水平移動チャンバ２の中に位置しており、且つ前記固定ブロック９とスライドできるように連結されている。
【００１９】
以下、出願人は付図１〜４及び上記の本出願の自動的に乾燥できるテーブルクロスの具体的な構成を参照して本出願の自動的に乾燥できるテーブルクロスの使用方法を詳しく紹介する：
【００２０】
当該テーブル１を使用して火鍋を食べる時、火鍋を貯蔵チャンバ３７の中に入れ、これにより埃隔絶板３９と、支持ロッド３５と、ばね板３４と、磁石３３と、磁板２２とを下降させ、伸縮ばね２０と復帰ばね２３とが圧縮され、磁板２２の下降により断熱板３２を下降させ、これにより固定板６と熱伝導板４とを下降させ、熱伝導板４の上端が移動チャンバ４２の中から離れた後、移動板４６が移動ばね４１の作用のもとで貯蔵チャンバ３７へ運動し、これにより移動ブロック４９を運動させ、弾性縄５０が引っ張られ、ばね板３４が一番下側へ下降した後、磁気シールドブロック３１の存在のため、磁板２２と磁石３３とが互いに吸引しなく、また移動ブロック４９の存在により熱伝導板４が復帰できなく、熱伝導板４の下降の過程において断熱ブロック４３が移動チャンバ４２の中に入り、火鍋が生じた熱量が加熱チャンバ７の中に伝送され、熱伝導板４と移動ブロック４９により熱量をテーブルクロス４８に伝送し、これによりテーブルクロス４８に一定の温度を保たせ、これにより顧客を快適に感じさせる。
【００２１】
伝送された熱量が多すぎ、テーブルクロス４８の温度が高すぎる時、センサー４７が電磁石１０を制御して作動させ、これにより水平移動ロッド１４を運動させ、これにより水平移動ブロック１５を運動させ、これにより流通パイプ１６と流通孔１７とが分離し、これにより外部空間と水平移動チャンバ８との関係を断ち、加熱チャンバ７の中の温度が上がり、気体が膨張し、これにより昇降板２９が下方へ運動し、気体が水平移動チャンバ８の中に入り、これにより圧縮板３を連動させて貯蔵チャンバ３７から離れている方向へ運動させ、弾性縄５０が引っ張り状態にあるので、圧縮板３の運動により移動ブロック４９と、移動板４６と、移動ばね４１とを復帰させ、断熱ブロック４３が熱伝導板４と接触し、これにより熱量を伝送することを停止し、この時、電磁石１０が逆方向へ作動し、これにより水平移動ロッド１４と水平移動ブロック１５とが復帰し、これにより磁板２２が伸縮ばね２０の作用のもとで復帰し、これにより断熱板３２と、固定板６と、熱伝導板４とを連動させて上昇させ、これにより断熱ブロック４３を連動させて復帰させ、流通パイプ１６と流通孔１７とが再び連通され、これにより水平移動チャンバ８の中の膨張した気体が流出し、これにより圧縮板３が圧縮ばね５の作用のもとで復帰し、テーブルクロス４８を再び加熱する時、電磁石１０が作動して水平移動ブロック１５と水平移動ロッド１４とを連動させて運動させ、ロープ１９の伝動により磁板２２を連動させて下降させ、上記のステップを繰り返して加熱復帰を完成し、当該装置はテーブルを使用し終わった後、制御スイッチ１２により電磁石１０を制御してもう一回作動させ、余熱を利用してテーブルクロスの加熱を完成し、テーブルクロスを乾燥する。
【００２２】
本発明の有益効果は：本装置は構成が簡単で、操作が便利で、当該装置は火鍋を食べる時に生じた大量の熱量を効果的に利用し、テーブルクロスの加熱を完成し、これによりテーブルクロスは終始適宜な温度を保ち、これにより顧客を快適に感じさせ、余熱によりテーブルクロスが清掃された後に残された水の乾燥を完成し、再びテーブルクロスを拭く必要はなく、これにより労働力を節約し、しかももっと速くこのテーブルを使用でき、これにより接客の速度を早める。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020176818.tif 000003
【図２】
2020176818.tif 000004
【図３】
2020176818.tif 000005
【図４】
2020176818.tif 000006
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、テーブルを含み、前記テーブルの上端面の表面にはテーブルクロスが設置され、前記テーブルクロスの中には断熱層が設置され、前記テーブルクロスの中にはセンサーが設置され、前記テーブルクロスの中には前記テーブルクロスの上下端面を貫通している貫通孔が設置され、前記断熱層の中には断熱孔が設置され、前記断熱孔の中には断熱ブロックが設置され、前記テーブルの下端面の四隅には四本のテーブルの脚が設置され、前記テーブルの脚の中には制御スイッチが設置され、前記テーブルの中には従動機構が設置され、前記従動機構は貯蔵チャンバを含み、前記貯蔵チャンバの下端壁には前記貯蔵チャンバに連通しているばねチャンバが設置され、前記ばねチャンバの両側端壁の中には磁気シールドブロックが設置され、前記ばねチャンバの中にはばね板が設置され、前記ばね板の両端にはいずれも磁石が設置され、前記貯蔵チャンバの両側端壁の中には前記貯蔵チャンバに連通している加熱チャンバが対称的に設置され、前記加熱チャンバの上端壁の中には移動機構が設置され、前記加熱チャンバの下端壁の中には気体放出機構が設置され、前記気体放出機構は昇降チャンバを含み、前記加熱チャンバの下端壁の中には前記加熱チャンバに連通している前記昇降チャンバが設置され、前記昇降チャンバの中には一つの昇降板がスライドできるように連結され、前記昇降板の下端面には下端が前記昇降チャンバの端壁と連結されている昇降ばねが固定されており、
前記従動機構はまた埃隔絶板を含み、前記ばね板の下端面には下端が前記ばねチャンバの端壁と連結されている二つの復帰ばねが設置され、前記ばね板の上端面には上端が前記ばねチャンバの中に位置しており、且つ前記埃隔絶板と連結されている支持ロッドが固定的に連結されており、
前記移動機構は移動チャンバを含み、前記移動チャンバの中には二つの移動板がスライドできるように連結され、二つの前記移動板の間にはリミット板が前後対称的に設置され、前記移動チャンバの中にはまた移動ブロックがスライドできるように連結され、前記移動チャンバの片側端壁には前記移動板に連結されている移動ばねが固定的に設置され、前記移動チャンバのうち前記貯蔵チャンバから離れている端壁の中には圧縮チャンバが設置され、前記圧縮チャンバの中には圧縮板が設置され、前記圧縮板の片側端面には前記移動ブロックと連結されている弾性縄が固定的に連結され、前記圧縮チャンバの片側端壁には前記圧縮板と連結されている圧縮ばねが固定的に連結されており、
前記気体放出機構はまた二つの気体放出パイプを含み、前記昇降チャンバの下端壁の中には前記気体放出パイプに連通している水平移動チャンバが設置され、前記水平移動チャンバの中には固定ブロックが固定され、前記固定ブロックの中には前記水平移動チャンバに連通している電磁溝が設置され、前記電磁溝の片側端壁には一つの電磁石が固定的に連結され、前記電磁溝の中にはまた一端が前記水平移動チャンバの中に位置している水平移動ロッドがスライドできるように連結され、前記水平移動チャンバの中には一端が前記水平移動ロッドと連結されている水平移動ブロックが設置され、前記水平移動ブロックの上端面には密封ブロックが設置され、前記水平移動ブロックの中には二つの流通孔が設置され、前記水平移動チャンバの下端壁には外部空間に連通している二つの流通パイプが設置され、
その中、前記昇降チャンバの片側端壁の中にはばね溝が設置され、前記ばね溝の中には一つの磁板がスライドできるように連結され、前記磁板の上端面には上端が前記加熱チャンバの中に位置している断熱板が固定的に連結され、前記断熱板の上端には固定板が固定的に連結され、前記固定板の上端面には上端が前記移動チャンバの中に位置している熱伝導板が固定的に連結され、前記熱伝導板の上端が前記リミット板と摩擦により連結され、前記磁板の下端面には前記ばね溝の端壁と連結されている伸縮ばねが設置され、前記磁板の下端面にはまた前記水平移動ブロックと連結されているロープが固定的に連結され、前記圧縮板の下端が前記水平移動チャンバの中に位置しており、且つ前記固定ブロックとスライドできるように連結されていることを特徴とするテーブルクロスを自動的に乾燥させることができるテーブル。
【手続補正２】
【補正対象書類名】明細書
【補正対象項目名】全文
【補正方法】変更
【補正の内容】
【発明の詳細な説明】
【技術分野】
【０００１】
本発明はレストラン用品分野を取り上げて、具体的にはテーブルクロスを自動的に乾燥させることができるテーブルである。
【背景技術】
【０００２】
テーブルクロスはレストランを装飾でき、食事後のゴミを片付けることに便利を与える物であり、既にレストランの不可欠な一部であり、現在のほとんどのテーブルクロスは単にテーブルクロスとし、テーブルクロスを清掃した後、一般的には再び拭く又は自然に乾燥することを待つ必要があり、次の顧客の使用に影響し、且つ火鍋などを使用するテーブルとテーブルクロスの中、火鍋を使用する時に大量の熱を生じ、それを収集して利用しないと、資源の浪費をもたらす。
【先行技術文献】
【特許文献】
【０００３】
【特許文献１】中国特許出願公開第１０６４１９３７６号明細書
【発明の概要】
【発明が解決しようとする課題】
【０００４】
本発明はテーブルクロスを自動的に乾燥させることができるテーブルを提供し、上記背景技術において提出された問題を解決することを目的とする。
【課題を解決するための手段】
【０００５】
上記の目的を実現するために、本発明は以下の技術プランを提供する：テーブルクロスを自動的に乾燥させることができるテーブルは、テーブルを含み、前記テーブルの上端面の表面にはテーブルクロスが設置され、前記テーブルクロスの中には断熱層が設置され、前記テーブルクロスの中にはセンサーが設置され、前記テーブルクロスの中には前記テーブルクロスの上下端面を貫通している貫通孔が設置され、前記断熱層の中には断熱孔が設置され、前記断熱孔の中には断熱ブロックが設置され、前記テーブルの下端面の四隅には四本のテーブルの脚が設置され、前記テーブルの脚の中には制御スイッチが設置され、前記テーブルの中には従動機構が設置され、前記従動機構は貯蔵チャンバを含み、前記貯蔵チャンバの下端壁には前記貯蔵チャンバに連通しているばねチャンバが設置され、前記ばねチャンバの両側端壁の中には磁気シールドブロックが設置され、前記ばねチャンバの中にはばね板が設置され、前記ばね板の両端にはいずれも磁石が設置され、前記貯蔵チャンバの両側端壁の中には前記貯蔵チャンバに連通している加熱チャンバが対称的に設置され、前記加熱チャンバの上端壁の中には移動機構が設置され、前記加熱チャンバの下端壁の中には気体放出機構が設置され、前記気体放出機構は昇降チャンバを含み、前記加熱チャンバの下端壁の中には前記加熱チャンバに連通している前記昇降チャンバが設置され、前記昇降チャンバの中には一つの昇降板がスライドできるように連結され、前記昇降板の下端面には下端が前記昇降チャンバの端壁と連結されている昇降ばねが固定されている。
【０００６】
好ましくは、前記従動機構はまた埃隔絶板を含み、前記ばね板の下端面には下端が前記ばねチャンバの端壁と連結されている二つの復帰ばねが設置され、前記ばね板の上端面には上端が前記ばねチャンバの中に位置しており、且つ前記埃隔絶板と連結されている支持ロッドが固定的に連結されている。
【０００７】
好ましくは、前記移動機構は移動チャンバを含み、前記移動チャンバの中には二つの移動板がスライドできるように連結され、二つの前記移動板の間にはリミット板が前後対称的に設置され、前記移動チャンバの中にはまた移動ブロックがスライドできるように連結され、前記移動チャンバの片側端壁には前記移動板に連結されている移動ばねが固定的に設置され、前記移動チャンバのうち前記貯蔵チャンバから離れている端壁の中には圧縮チャンバが設置され、前記圧縮チャンバの中には圧縮板が設置され、前記圧縮板の片側端面には前記移動ブロックと連結されている弾性縄が固定的に連結され、前記圧縮チャンバの片側端壁には前記圧縮板と連結されている圧縮ばねが固定的に連結されている。
【０００８】
好ましくは、前記気体放出機構はまた二つの気体放出パイプを含み、前記昇降チャンバの下端壁の中には前記気体放出パイプに連通している水平移動チャンバが設置され、前記水平移動チャンバの中には固定ブロックが固定され、前記固定ブロックの中には前記水平移動チャンバに連通している電磁溝が設置され、前記電磁溝の片側端壁には一つの電磁石が固定的に連結され、前記電磁溝の中にはまた一端が前記水平移動チャンバの中に位置している水平移動ロッドがスライドできるように連結され、前記水平移動チャンバの中には一端が前記水平移動ロッドと連結されている水平移動ブロックが設置され、前記水平移動ブロックの上端面には密封ブロックが設置され、前記水平移動ブロックの中には二つの流通孔が設置され、前記水平移動チャンバの下端壁には外部空間に連通している二つの流通パイプが設置されている。
【０００９】
その中、前記昇降チャンバの片側端壁の中にはばね溝が設置され、前記ばね溝の中には一つの磁板がスライドできるように連結され、前記磁板の上端面には上端が前記加熱チャンバの中に位置している断熱板が固定的に連結され、前記断熱板の上端には固定板が固定的に連結され、前記固定板の上端面には上端が前記移動チャンバの中に位置している熱伝導板が固定的に連結され、前記熱伝導板の上端が前記リミット板と摩擦により連結され、前記磁板の下端面には前記ばね溝の端壁と連結されている伸縮ばねが設置され、前記磁板の下端面にはまた前記水平移動ブロックと連結されているロープが固定的に連結され、前記圧縮板の下端が前記水平移動チャンバの中に位置しており、且つ前記固定ブロックとスライドできるように連結されている。
【発明の効果】
【００１０】
以上により、本発明の有益効果は：本装置は構成が簡単で、操作が便利で、当該装置は火鍋を食べる時に生じた大量の熱量を効果的に利用し、テーブルクロスの加熱を完成し、これによりテーブルクロスは終始適宜な温度を保ち、これにより顧客を快適に感じさせ、余熱によりテーブルクロスが清掃された後に残された水の乾燥を完成し、再びテーブルクロスを拭く必要はなく、これにより労働力を節約し、しかももっと速くこのテーブルを使用でき、これにより接客の速度を早める。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のテーブルクロスを自動的に乾燥させることができるテーブルの全体断面の正面構成模式図
【図２】図２は本発明のテーブルクロスを自動的に乾燥させることができるテーブルの気体放出機構の部分断面の正面構成模式図
【図３】図３は本発明のテーブルクロスを自動的に乾燥させることができるテーブルの従動機構の部分断面の正面構成模式図
【図４】図４は本発明のテーブルクロスを自動的に乾燥させることができるテーブルの全体上面拡大模式図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜４を参照し、本発明が提供する実施例は：テーブルクロスを自動的に乾燥させることができるテーブルは、テーブル１を含み、前記テーブル１の上端面の表面にはテーブルクロス４８が設置され、前記テーブルクロス４８の中には断熱層４０が設置され、前記テーブルクロス４８の中にはセンサー４７が設置され、前記テーブルクロス４８の中には前記テーブルクロス４８の上下端面を貫通している貫通孔３８が設置され、前記断熱層４０の中には断熱孔４５が設置され、前記断熱孔４５の中には断熱ブロック４３が設置され、前記テーブル１の下端面の四隅には四本のテーブルの脚１３が設置され、前記テーブルの脚１３の中には制御スイッチ１２が設置され、前記テーブル１の中には従動機構３６が設置され、前記従動機構３６は貯蔵チャンバ３７を含み、前記貯蔵チャンバ３７の下端壁には前記貯蔵チャンバ３７に連通しているばねチャンバ２４が設置され、前記ばねチャンバ２４の両側端壁の中には磁気シールドブロック３１が設置され、前記ばねチャンバ２４の中にはばね板３４が設置され、前記ばね板３４の両端にはいずれも磁石３３が設置され、前記貯蔵チャンバ３７の両側端壁の中には前記貯蔵チャンバ３７に連通している加熱チャンバ７が対称的に設置され、前記加熱チャンバ７の上端壁の中には移動機構３０が設置され、前記加熱チャンバ７の下端壁の中には気体放出機構２５が設置され、前記気体放出機構２５は昇降チャンバ２８を含み、前記加熱チャンバ７の下端壁の中には前記加熱チャンバ７に連通している前記昇降チャンバ２８が設置され、前記昇降チャンバ２８の中には一つの昇降板２９がスライドできるように連結され、前記昇降板２９の下端面には下端が前記昇降チャンバ２８の端壁と連結されている昇降ばね２９が固定されている。
【００１５】
有益的には、前記従動機構３６はまた埃隔絶板３９を含み、前記ばね板３４の下端面には下端が前記ばねチャンバ２４の端壁と連結されている二つの復帰ばね２３が設置され、前記ばね板３４の上端面には上端が前記ばねチャンバ２４の中に位置しており、且つ前記埃隔絶板３９と連結されている支持ロッド３５が固定的に連結されている。
【００１６】
有益的には、前記移動機構３０は移動チャンバ４２を含み、前記移動チャンバ４２の中には二つの移動板４６がスライドできるように連結され、二つの前記移動板４６の間にはリミット板４４が前後対称的に設置され、前記移動チャンバ４２の中にはまた移動ブロック４９がスライドできるように連結され、前記移動チャンバ４２の片側端壁には前記移動板４６に連結されている移動ばね４１が固定的に設置され、前記移動チャンバ４２のうち前記貯蔵チャンバ３７から離れている端壁の中には圧縮チャンバ２が設置され、前記圧縮チャンバ２の中には圧縮板３が設置され、前記圧縮板３の片側端面には前記移動ブロック４６と連結されている弾性縄５０が固定的に連結され、前記圧縮チャンバ２の片側端壁には前記圧縮板３と連結されている圧縮ばね５が固定的に連結されている。
【００１７】
有益的には、前記気体放出機構２５はまた二つの気体放出パイプ２６を含み、前記昇降チャンバ２８の下端壁の中には前記気体放出パイプ２６に連通している水平移動チャンバ８が設置され、前記水平移動チャンバ８の中には固定ブロック９が固定され、前記固定ブロック９の中には前記水平移動チャンバ８に連通している電磁溝１１が設置され、前記電磁溝１１の片側端壁には一つの電磁石１０が固定的に連結され、前記電磁溝１１の中にはまた一端が前記水平移動チャンバ８の中に位置している水平移動ロッド１４がスライドできるように連結され、前記水平移動チャンバ８の中には一端が前記水平移動ロッド１４と連結されている水平移動ブロック１５が設置され、前記水平移動ブロック１５の上端面には密封ブロック１８が設置され、前記水平移動ブロック１５の中には二つの流通孔１７が設置され、前記水平移動チャンバ８の下端壁には外部空間に連通している二つの流通パイプ１６が設置されている。
【００１８】
その中、前記昇降チャンバ２８の片側端壁の中にはばね溝２１が設置され、前記ばね溝２１の中には一つの磁板２２がスライドできるように連結され、前記磁板２２の上端面には上端が前記加熱チャンバ７の中に位置している断熱板３２が固定的に連結され、前記断熱板３２の上端には固定板６が固定的に連結され、前記固定板６の上端面には上端が前記移動チャンバ４２の中に位置している熱伝導板４が固定的に連結され、前記熱伝導板４の上端が前記リミット板４４と摩擦により連結され、前記磁板２２の下端面には前記ばね溝２１の端壁と連結されている伸縮ばね２０が設置され、前記磁板２２の下端面にはまた前記水平移動ブロック１５と連結されているロープ１９が固定的に連結され、前記圧縮板３の下端が前記水平移動チャンバ２の中に位置しており、且つ前記固定ブロック９とスライドできるように連結されている。
【００１９】
以下、出願人は付図１〜４及び上記の本出願のテーブルクロスを自動的に乾燥させることができるテーブルの具体的な構成を参照して本出願のテーブルクロスを自動的に乾燥させることができるテーブルの使用方法を詳しく紹介する：
【００２０】
当該テーブル１を使用して火鍋を食べる時、火鍋を貯蔵チャンバ３７の中に入れ、これにより埃隔絶板３９と、支持ロッド３５と、ばね板３４と、磁石３３と、磁板２２とを下降させ、伸縮ばね２０と復帰ばね２３とが圧縮され、磁板２２の下降により断熱板３２を下降させ、これにより固定板６と熱伝導板４とを下降させ、熱伝導板４の上端が移動チャンバ４２の中から離れた後、移動板４６が移動ばね４１の作用のもとで貯蔵チャンバ３７へ運動し、これにより移動ブロック４９を運動させ、弾性縄５０が引っ張られ、ばね板３４が一番下側へ下降した後、磁気シールドブロック３１の存在のため、磁板２２と磁石３３とが互いに吸引しなく、また移動ブロック４９の存在により熱伝導板４が復帰できなく、熱伝導板４の下降の過程において断熱ブロック４３が移動チャンバ４２の中に入り、火鍋が生じた熱量が加熱チャンバ７の中に伝送され、熱伝導板４と移動ブロック４９により熱量をテーブルクロス４８に伝送し、これによりテーブルクロス４８に一定の温度を保たせ、これにより顧客を快適に感じさせる。
【００２１】
伝送された熱量が多すぎ、テーブルクロス４８の温度が高すぎる時、センサー４７が電磁石１０を制御して作動させ、これにより水平移動ロッド１４を運動させ、これにより水平移動ブロック１５を運動させ、これにより流通パイプ１６と流通孔１７とが分離し、これにより外部空間と水平移動チャンバ８との関係を断ち、加熱チャンバ７の中の温度が上がり、気体が膨張し、これにより昇降板２９が下方へ運動し、気体が水平移動チャンバ８の中に入り、これにより圧縮板３を連動させて貯蔵チャンバ３７から離れている方向へ運動させ、弾性縄５０が引っ張り状態にあるので、圧縮板３の運動により移動ブロック４９と、移動板４６と、移動ばね４１とを復帰させ、断熱ブロック４３が熱伝導板４と接触し、これにより熱量を伝送することを停止し、この時、電磁石１０が逆方向へ作動し、これにより水平移動ロッド１４と水平移動ブロック１５とが復帰し、これにより磁板２２が伸縮ばね２０の作用のもとで復帰し、これにより断熱板３２と、固定板６と、熱伝導板４とを連動させて上昇させ、これにより断熱ブロック４３を連動させて復帰させ、流通パイプ１６と流通孔１７とが再び連通され、これにより水平移動チャンバ８の中の膨張した気体が流出し、これにより圧縮板３が圧縮ばね５の作用のもとで復帰し、テーブルクロス４８を再び加熱する時、電磁石１０が作動して水平移動ブロック１５と水平移動ロッド１４とを連動させて運動させ、ロープ１９の伝動により磁板２２を連動させて下降させ、上記のステップを繰り返して加熱復帰を完成し、当該装置はテーブルを使用し終わった後、制御スイッチ１２により電磁石１０を制御してもう一回作動させ、余熱を利用してテーブルクロスの加熱を完成し、テーブルクロスを乾燥する。
【００２２】
本発明の有益効果は：本装置は構成が簡単で、操作が便利で、当該装置は火鍋を食べる時に生じた大量の熱量を効果的に利用し、テーブルクロスの加熱を完成し、これによりテーブルクロスは終始適宜な温度を保ち、これにより顧客を快適に感じさせ、余熱によりテーブルクロスが清掃された後に残された水の乾燥を完成し、再びテーブルクロスを拭く必要はなく、これにより労働力を節約し、しかももっと速くこのテーブルを使用でき、これにより接客の速度を早める。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。